(57)【要約】【課題】傾斜して配置されるディスク駆動装置１において、装置本体２からアンロード位置へ引き出したトレー３がロード方向へ自然に移動してしまうのを防止する。【解決手段】装置本体２のフレーム５とトレー３のレール部１４との間に、トレー３がアンロード位置となったとき凹凸係合する保持機構を設け、トレー３がアンロード位置にあるとき、前記の係合によってトレーがロード位置方向へ自然に移動するのを防止し、トレー３を軽く押し込む力でこの係合を解除できるように凹凸係合部を弾性的とする。【選択図】        図５
2004335048.tif 000002
【特許請求の範囲】
【請求項１】
装置本体とこの装置本体に対してディスクを装着してロード位置とアンロード位置間で移動させるトレーを備え、トレーと装置本体との間に前記移動のためのガイド機構を設けると共に、前記アンロード位置から更にアンロード方向へ移動することを規制するための停止機構を有するディスク駆動装置において、
前記トレーを前記アンロード位置に保持するための保持機構を有することを特徴とするディスク駆動装置。
【請求項２】
前記ガイド機構はトレーの両側部に設けたトレー側レール部と装置本体に設けた本体側レール部との組み合わせであって、保持機構は前記トレー側レール部と本体側レール部間に設けた、弾性を利用して脱着できる凹凸係合部であることを特徴とした請求項１に記載のディスク駆動装置。
【請求項３】
前記の凹凸係合部にはさらに前記停止機構が設けられていることを特徴とした請求項２に記載のディスク駆動装置。
【請求項４】
前記トレー側レール部はトレーと一体に形成されており、本体側レール部と直接に組み合わされていることを特徴とした請求項２に記載のディスク駆動装置。
【請求項５】
前記本体側レール部はスライドレールを備え、このスライドレールと前記トレー側レール部が組み合わされていることを特徴とした請求項２に記載のディスク駆動装置。
【発明の詳細な説明】
【０００１】
【発明が属する技術分野】
この発明は、ＣＤ，ＤＶＤなどディスクを記録媒体として利用する記録再生装置のディスク駆動装置に関する。
【０００２】
【従来の技術】
ディスク駆動装置には、装置本体とトレーを備え、ディスクを装着したトレーをロード位置（ディスクを駆動回転し、データの再生・記録を行う位置）とアンロード位置（ディスクをトレーに対して脱着する位置）とに移動させるタイプのものがある。このタイプは、装置本体に対してトレーを移動させるガイド機構を備え、ガイド機構は、本体側に設けたレール部とトレー側に設けたレール部とを組み合わせて、本体側のレール部に対してトレー側のレール部を直線的にスライド移動できるようにしている。このスライド移動は滑らかに行われるように努力されている。
【０００３】
そして、アンロード位置方向への移動（引出し方向）では、トレーが抜け落ちないように、装置側レール部とトレー側レール部との間に停止機構を設けている。
例えば、特開平９−２２３３４７号公報のトレーガイド機構では、トレー側のレール係合部２９，３０をスライドレール３１，３２に組み合わせ、スライドレール１２を装置本体側の固定側ガイド部材３３，３４に組み合わせた構造であって、トレー側のレール係合部２９，３０に壁部２９ｆ、３０ｆを設けるとともにスライドレールに突部３１ａ，３２ａを設けて、トレー１２を引き出したとき、トレーの係合部２９ｆ、３０ｆがスライドレール１２の突部３１ａ、３２ａに係合して、抜け落ちないようにしている。このときスライドレール１２はもちろん突部３１ａ，３２ａの長手方向反対側に設けた係止孔３１ｂ，３２ｂが固定側ガイド部材３３，３４の突部３３ｂ、３４ｂが係合して引出し方向の移動が阻止されている。
【０００４】
【特許文献１】
特開平９−２２３３４３号公報
【０００５】
【発明が解決しようとする課題】
一方、いわゆるパソコンは小形化、高機能化が進みこれらに装備されているディスク駆動装置は、従来想定されていた水平あるいは垂直な使用状態ばかりでなく、傾斜した状態で設置、あるいは使用されることが多くなっている。すなわち、ノート型パソコンはひざの上など傾斜状態で使用されることが多いし、従来のデスクトップ型であっても、ディスプレイと本体を一体とし、しかも、薄型とする結果、ディスク駆動装置を回転面を水平に配置することができず、トレーの面を水平面に対して傾斜させたり、トレーの面を垂直にするときは差し込みやすいようにトレーの移動方向を傾斜させたりしている。
【０００６】
このため、従来のディスク駆動装置の構造では、トレーをアンロード方向へ移動させるとき、停止機構によってトレーが抜け落ちることを防止できるが、アンロード位置を保持できないので、トレーの移動を滑らかにしてあることと相まって、トレーが自然にロード位置方向へ戻ってしまうことを防止できない。前記特許文献１のトレーガイド機構では、スライドレール３１，３２は固定側レール３３，３４に対して係止孔３１ｂ、３２ｂに突部３３ｂ，３４ｂがはまり込むことでロード方向への戻りが防止されているが、スライドレール３１，３２に対してトレー１２が、突部３２ａへ衝突するまでの間の戻りを防止することはできない。
【０００７】
このように、一度アンロード位置まで引き出したトレーが、何もしないのにロード方向へ戻ってしまうことは、操作する者には非常にわずらわしく、ディスクの脱着を両手で行わねばならないなどの不便が多い。
そこで、本発明は、アンロード位置まで引き出したトレーが戻り方向へ自然に移動してしまうのを防止したディスク駆動装置の提供を課題とする。
【０００８】
【課題を解決するための手段】
装置本体とトレーを備えたものとする。トレーは装置本体に対してディスクを装着してロード位置とアンロード位置間で移動可能とする。
装置本体とトレーとの間に、トレーを本体装置へ押し込み、引き出す前記移動のためのガイド機構を設ける。ガイド機構は、装置本体とトレーを直接にガイドするものでも、あるいは装置本体とトレーとの間にスライドレールが介在する構造のものであっても良い。いずれにしても、ガイド機構には、トレーをアンロード方向へ移動したその端部においてトレーが抜け落ちるのを防止する停止機構とトレーをアンロード位置で保持する保持機構を設ける。
【０００９】
ガイド機構はトレーの両側部に設けたトレー側レール部と装置本体に設けた本体側レール部との組み合わせとすることが多い。この場合、保持機構はトレー側レール部と本体側レール部間に設けた弾性を利用して脱着できる凹凸係合部とすることができる。また、トレー側レール部は合成樹脂を素材とするトレーと一体に形成し、このレール部を本体側レール部と直接に組み合わしたり、両レールとの間にスライドレールを介在させて組合わせることがある。スライドレールを用いる場合は、本体側レール部とスライドレール及びスライドレールとトレー側レール部との間に保持機構を構成しておく必要がある。
【００１０】
【発明の実施の形態】
図１は、ディスク駆動装置１を示し、装置本体２とトレー３を備える。
図において、装置本体２はカバー４とフレーム５に分解してある。カバー４とフレーム５は薄い鋼板製のプレス成形品である。フレーム５は左側壁６ａ（ロード側を前方、アンロード側を後方とする）の後方端部に本体側レール部（左）７ａを切り起しにより形成してあり、また、右側の段差壁６ｂの後方側端部に本体側レール部（右）７ｂを切り起しによって形成してある（図２，３）。
なお、左右で同じ部品名・符合となるものは付加符合ａ，ｂを付して区別する。また、このような場合、左側の部品を図示して右側部品の図示を省略することがある。
装置本体２には、本体側回路基板８を取り付け、これに親機器（パソコン等）と接続するための外部用コネクター９やトレー側の回路基板１０と接続するための帯状導線（ＦＰＣ）１１を設けてある。
【００１１】
トレー３は、トレー本体１２とトレー側回路基板１０及びスレッドシャーシ１３などを備える。トレー本体１２は側辺にトレー側レール部（左）１４ａと、トレー側レール部（右）１４ｂを有するとともに後辺に正面ベゼル１５を有し、合成樹脂で一体に形成されている（図３）。スレッドシャーシ１３はトレー３の中央部に取り付けられており、ディスクを駆動回転するためのスピンドルモーターとターンテーブル及びチャックからなるディスク回転機構及びディスクからデータを読み取り、また書き込むための光ヘッドを駆動する再生・記録機構を備え、これらディスク回転機構と再生・記録機構は共に本体側回路基板８、トレー側回路基板１０に設けてある制御回路の管理下にある。
【００１２】
トレー側レール部１４ａ，１４ｂは、図３，４のようにトレー３の下面側に突出し、本体側レール部７ａ，７ｂの間隔にあわせて平行に、かつ、正面ベゼル１５からトレー３の後辺まで形成され、これらレール部１４ａ，１４ｂの外面側には、本体側レール部７ａ，７ｂの切り起し端縁と係合し案内されるガイド溝１６ａ，１６ｂが長手方向に形成されている（図１〜３）。
【００１３】
そして、トレー側レール部１４ａ，１４ｂのそれぞれの後端部下面には、先端に下方へ突出する係合部１７ａ，１７ｂを備えた係合体１８ａ、１８ｂが設けられている（図４，５）。係合体１８ａ、１８ｂはトレー側レール部１４ａ，１４ｂの先端側から切り込んだスリット１９ａ、１９ｂによって先端側（係合部１７側）が分離され、基端側が他の部分と一体の片持ち状態に形成されている。この構造により、係合体１８ａ、１８ｂは先端部がスリット１９ａ、１９ｂの間隔分だけ上下方向へ撓むことができる。また、先端の係合部１７ａ，１７ｂは、前面が後方へ高くなる傾斜面２０ａ，２０ｂとされ、後面は垂直な停止面２１ａ，２１ｂとなっている。
一方、フレーム５の後辺近くの両側で前記の係合部１７ａ，１７ｂと対応した位置には、係合孔２２ａ，２２ｂが形成されている（図５，図６）。
【００１４】
装置本体２へトレー３を、トレー側レール部１４ａ，１４ｂのガイド溝１６ａ，１６ｂにフレーム５の本体側レール部７ａ，７ｂを係合して装着する。これによりトレー３は装置本体２に対して前後方向に移動できる。トレー３を装置本体２へ押し込んで、トレー３の正面ベゼル１５が装置本体２の後辺に衝突して停止した位置が、トレーのロード位置であり、この位置でディスクが駆動回転され、データの再生・記録が行われる。
【００１５】
トレー３を引き出し、トレー３に対してディスクを脱着できる程度に引き出された位置がトレー３のアンロード位置であり、このとき、トレー側レール部１４ａ，１４ｂの係合部１７ａ，１７ｂはフレーム５の係合体１８ａ，１８ｂの弾性によって係合孔２２ａ，２２ｂにはまり込む。この状態は、係合部１７ａ，１７ｂの停止面２１ａ，２１ｂと係合孔２２ａ，２２ｂの後縁が係合して抜け止めとなっているので、トレー３をこれ以上引き出すことはできず、不測にトレー３が装置本体２から抜け落ちてしまうことがない。
すなわち、この実施形態において、係合部１７ａ，１７ｂの停止面２１ａ，２１ｂと係合孔２２ａ，２２ｂの後縁が停止機構を構成し、トレー３が更にアンロード方向へ移動するのを規制している。
【００１６】
アンロード位置のトレー３にディスクを装着して装置本体２ヘ押し込むと、トレー側レール部１４ａ，１４ｂの係合部１７ａ，１７ｂはその傾斜面２０ａ，２０ｂがフレーム５に設けた係合孔２２ａ，２２ｂの縁と接触し、さらに押し込まれると係合部１７ａ，１７ｂは傾斜面２０ａ，２０ｂに沿って装置本体２内に押されて係合体１８ａ，１８ｂをその弾性に抗して湾曲させ、ついにはフレーム５の係合孔２２ａ，２２ｂから外れる。トレー３はこの係合体１８ａ，１８ｂを湾曲させた状態でロード位置まで移動し、また、その位置から後方へ引き出される。
【００１７】
上記の構成であるから、トレー３を不用意に引き出しても装置本体２からぬけおちてしまうことはなく、また、アンロード位置で手を離してもトレー側レール部１４ａ，１４ｂに設けた係合部１７ａ，１７ｂの傾斜面２０ａ，２０ｂとフレーム５の係合孔２２ａ，２２ｂの前縁が係合していて、トレー３が自然にロード方向へ移動してしまうことはない。すなわち、この実施形態において、係合部１７ａ，１７ｂの傾斜面２０ａ，２０ｂと係合孔２２ａ，２２ｂの前縁が保持機構を構成し、トレー３をアンロード位置に保持している。
しかし、この状態にあってもトレー３を軽く押せば、保持機構による保持状態は解除されて、前記の係合部１７ａ，１７ｂは装置本体２の内側へ押し込まれ、支障なくトレー３をロード位置へ移動させることができる。
【００１８】
図７（イ）、（ロ）は、第２の実施形態であり、第１の実施形態と同じ部分には同じ符合を用いて説明を省略する。この実施形態において、本体側のレール部７ａ，７ｂにトレー側レール部１４ａ，１４ｂを、両レール部の間にスライドレール２３ａ，２３ｂをそれぞれ介在させて支持した構造となっている。スライドレール２３ａ，２３ｂは、この実施形態において、フレーム５と同様な板金を溝形にプレス成形してある。この場合、スライドレール２３ａ，２３ｂは本体側レール部７ａ，７ｂに案内され、トレー側レール部１４ａ，１４ｂはスライドレール２３ａ，２３ｂに案内される。そして、図７（イ）のように、それぞれのスライドレール２３ａ，２３ｂは、後端部に第２の係合孔２４ａ，２４ｂを有すると共に中央部に後端を切り離した切り起しによって第２の係合部２５ａ，２５ｂを有している。係合部２５ａ，２５ｂは、図７（ロ）のように、前記の切り離した側を内側へく字状に屈曲させて外側に張り出しており、前記の係合部１７ａ，１７ｂの場合と同様に前記の屈曲によって形成された後面が停止面２６ａ，２６ｂ、切り起しによる前面が傾斜面２７ａ，２７ｂとなっている。係合部２５ａ，２５ｂは、図７（ロ）のように、切り起し部分の弾性によって突出した位置と押し込まれた位置とを移動する。
フレーム５の後辺部で左側壁６ａと段差壁６ｂには底面部と側面部とで位置は異なるが前記と同様に係合孔２２ａ，２２ｂが形成されている。
第２の係合孔２４ａ，２４ｂはトレー側レール部１４ａ，１４ｂに設けた係合部１７ａ，１７ｂに対向し、第２の係合部２５ａ，２５ｂはフレーム５に設けた係合孔２２ａ，２２ｂに対向する。
【００１９】
トレー３を引き出してアンロード位置としたとき、スライドレール２３ａ，２３ｂはそれぞれフレーム５の左側壁６ａと段差壁６ｂに形成した係合孔２２ａ，２２ｂに第２の係合部２５ａ，２５ｂの停止面２６ａ，２６ｂを係合しており、後方へは抜け止めされると共に、前方へ積極的に押されると、傾斜面２７ａ，２７ｂによって係合が外れる状況となっている。また，トレー側レール１４ａ，１４ｂは係合部１７ａ，１７ｂがそれぞれのスライドレール２３ａ，２３ｂの第２係合孔２４ａ，２４ｂに係合しており、同様に、停止面２１ａ，２１ｂによって後方へは抜け止めされると共に前方へ積極的に押されると傾斜面２０ａ，２０ｂによって係合が外れる状況となっている。
したがって、スライドレール２３ａ，２３ｂを介在させる場合にも、トレー３を不用意に装置本体２から引き抜いてしまったり、アンロード位置としたトレー３がロード位置方向へ自然に移動してしまう事態を防止することができる。
【００２０】
以上、トレー３の滑落を防止する構造として、打ち抜きによる係合孔２２ａ，２２ｂ、２４ａ，２４ｂや切り起しによる係合部２５ａ，２５ｂ、あるいはトレー側レール部１４ａ，１４ｂと一体成形の係合体１８ａ，１８ｂを説明したが、これらは凹凸係合であって弾性を備え、軽い押圧力によって強制的に係合を解除できるものであれば良い。また、位置もトレー３と装置本体２との間の適切な個所であれば良い。
【００２１】
【発明の効果】
トレーをアンロード位置まで引き出し、ディスクの着脱を行うときに、トレーがロード位置方向へ自然に移動するのを防止できるから、ディスクの脱着操作を容易に行える。
【図面の簡単な説明】
【図１】分解して示す斜視図
【図２】要部を拡大して示す斜視図
【図３】横断面図とその要部の拡大図（ハッチングを省略）
【図４】裏面側から見た斜視図（ディスク回転機構、ヘッド機構を省略してある）
【図５】図４における要部の拡大図
【図６】裏面側から見た斜視図
【図７】（イ）は第２実施形態の要部を示す斜視図、（ロ）はその一部を拡大した断面による平面図
【符号の説明】
１  ディスク駆動装置
２  装置本体
３  トレー
４  カバー
５  フレーム
６ａ  左側壁
６ｂ  段差壁
７ａ  本体側レール部（左）
７ｂ  本体側レール部（右）
８  本体回路基板
９  コネクター
１０  トレー側回路基板
１１  帯条導線（ＦＰＣ）
１２  トレー本体
１３  スレッドシャーシ
１４ａ  トレー側レール部（左）
１４ｂ  トレー側レール部（右）
１５  正面ベゼル
１６  ガイド溝
１７ａ，１７ｂ  係合部
１８ａ，１８ｂ  係合体
１９ａ，１９ｂ  スリット
２０ａ，２０ｂ  傾斜面
２１ａ，２１ｂ  停止面
２２ａ，２２ｂ  係合孔
２３ａ，２３ｂ  スライドレール
２４ａ，２４ｂ  第２の係合孔
２５ａ，２５ｂ  第２の係合部
２６ａ，２６ｂ  停止面（第２の実施形態）
２７ａ，２７ｂ  傾斜面（第２の実施形態）
【図１】
2004335048.tif 000003
【図２】
2004335048.tif 000004
【図３】
2004335048.tif 000005
【図４】
2004335048.tif 000006
【図５】
2004335048.tif 000007
【図６】
2004335048.tif 000008
【図７】
2004335048.tif 000009